(57)【要約】 【課題】  電力の有効利用を図ることができると共に通信可能エリアの拡大を図ることができる無線通信システムを提供すること。【解決手段】  漏洩伝送路を用いた無線通信システムにおいて、漏洩伝送路１１の終端に漏洩伝送路１１の終端抵抗と略同じインピーダンスを有するアンテナ１３を接続し、漏洩伝送路１１及びアンテナ１３はそれぞれ前記漏洩伝送路及び前記アンテナからそれぞれ放射される電波が干渉しないような指向性を有する。【選択図】        図４
2005159745.tif 000002
【特許請求の範囲】
【請求項１】
漏洩伝送路を用いた無線通信システムにおいて、漏洩伝送路の終端に漏洩伝送路の終端抵抗と略同じインピーダンスを有するアンテナを接続し、前記漏洩伝送路及び前記アンテナはそれぞれ前記漏洩伝送路及び前記アンテナからそれぞれ放射される電波が干渉しないような指向性を有することを特徴とする無線通信システム。
【請求項２】
前記アンテナから放射される電波の放射角度と前記漏洩伝送路から放射される電波の放射角度とを同じに設定したことを特徴とする請求項1記載の無線通信システム。
【請求項３】
前記アンテナは可動機構を介して前記漏洩伝送路の終端に支持されており、前記アンテナから放射される電波の放射方向は微調整可能であることを特徴とする請求項１記載の無線通信システム。
【発明の詳細な説明】
【技術分野】
【０００１】
本発明は、漏洩伝送路を用いた無線通信システムに関する。
【背景技術】
【０００２】
図９に示すような漏洩伝送路の一種である漏洩ケーブル１（以下、ＬＣＸ（Leaky Coaxial Cable）が知られている（非特許文献１参照）。このような漏洩ケーブル１は、一端から信号電力２を供給し、他端をターミネータ３で終端させている。
【非特許文献１】ＬＣＸ通信システム  岸本利彦  佐々木伸共著  電子通信学会                        Ｐ１１５
【発明の開示】
【発明が解決しようとする課題】
【０００３】
このようにＬＣＸ１の他端をターミネータ（終端抵抗）３で終端させると、ターミネータ３において電力が熱に変換されてしまうため、ＬＣＸ１に供給された電力が有効に使用できないという問題点があった。
【０００４】
ＬＣＸ１の終端において電力がゼロになるように設計することができるが、このようにした場合には、ＬＣＸ１の終端付近では十分な電力が得られないという問題があった。
【０００５】
また、ＬＣＸ１の円周方向では通信に必要な十分な電力は得られるが、ＬＣＸ１の延長線方向では十分な電力が得られないという問題があった。
【０００６】
また、ＬＣＸ１をターミネータ３で終端させる代わりに、アンテナを接続することも行われている。このような構成のものは、ＬＣＸ１とアンテナとの接続点付近の電波が干渉し合うため電界が乱れ、放射電界の等位相面の連続一様性が保たれるように調整しなければならないという問題があった。
【０００７】
本発明は上記の点に鑑みてなされたもので、その目的は電力の有効利用を図ることができると共に通信可能エリアの拡大を図ることができる無線通信システムを提供することにある。
【課題を解決するための手段】
【０００８】
本発明は、漏洩伝送路を用いた無線通信システムにおいて、漏洩伝送路の終端に漏洩伝送路の終端抵抗と略同じインピーダンスを有するアンテナを接続し、前記漏洩伝送路及び前記アンテナは前記漏洩伝送路及び前記アンテナからそれぞれ放射される電波が干渉しないような指向性を有することを特徴とする。
【発明の効果】
【０００９】
本発明によれば、漏洩伝送路の終端をターミネータで終端する代わりにアンテナを接続することにより電力の有効利用を図ることができ、さらに漏洩伝送路とアンテナから放射される電波の干渉を防ぐことができる。
【発明を実施するための最良の形態】
【００１０】
以下、図面を参照して本発明の第1の実施の形態について説明する。図１において、１１はＬＣＸである。このＬＣＸ１１の一端から信号電力１２が供給される。また、ＬＣＸ１１の他端（終端）にはアンテナ１３が接続されている。このアンテナ１３は前述したターミネータ３と略同じインピーダンスを有する。
【００１１】
このように、ＬＣＸ１１の終端部分にアンテナ１３を接続するようにしたので、ＬＣＸ１１の終端部分で電力を熱に換えることなくアンテナ１３から電波として放出させることができる。従って、信号電力１２から供給される電力の有効利用を図ることができる。
【００１２】
ところで、アンテナ１３として無指向性アンテナを採用した場合には、図２に示すようにＬＣＸ１１から放射される電波Ａと、アンテナ１３から放射された電波Ｂとが重なり合う領域１４が発生する。この領域１４では、ＬＣＸ１１から放射された電波Ａと、アンテナ１３から放射された電波Ｂとが干渉するため、好ましくない。
【００１３】
そこで、図３に示すように、ＬＣＸ１１より放射角度の大きな指向性アンテナ２３をＬＣＸ１１の終端に接続する。
【００１４】
このようにすることにより、ＬＣＸ１１から放射された電波領域２１とアンテナ２３から放射された電波領域２２とが重なることなく電波干渉の影響を低減させることができる。
【００１５】
このように、アンテナ２３に指向性を持たせた場合には、通信不能領域２４が生じる。
【００１６】
そこで、図４に示すようにアンテナ３３の放射角度をＬＣＸ１１と同じとすることにより図３の通信不能領域２４の発生を防ぐことができる。なお、ＬＣＸ１１から放射される電波の放射方向を終端から始端方向とすることにより、ＬＣＸ１１の始端付近に発生する通信不能領域２４の発生を未然に防止することができる。
【００１７】
次に、本発明の第２の実施の形態について図５乃至図７を参照して説明する。図５において、図４と同じ部分については同一番号を付し、その詳細な説明については省略する。
【００１８】
図５において、ＬＣＸ１１の終端には、可動装置３１を介して平面アンテナ３２が取り付けられている。この平面アンテナ３２は前述したターミネータ３と略同じインピーダンスを有する。この可動装置３１により平面アンテナ３２の取り付け角度を可変することができる。
【００１９】
図６を参照して平面アンテナ３２の指向性について説明する。図６に示すように、平面アンテナ３２の指向性は０°方向を中心に略±θの範囲にある。
【００２０】
ところで、平面アンテナ３２の指向性とＬＣＸ１１の指向性とが不一致する場合がある。
【００２１】
このような場合には図７に示すように、可動装置３１を調整して平面アンテナ３２の指向性を調整する。
【００２２】
このようにすることにより、平面アンテナ３２の放射角度をＬＣＸ１１と同じとすることができる。このように、平面アンテナ３２の放射角度をＬＣＸ１１と同じとすることにより、ＬＣＸ１１から放射される電波と平面アンテナ３２から放射される電波が干渉が起こらないようにすることができる。
【００２３】
また、平面アンテナ３２の放射角度をＬＣＸ１１と同じとすることにより、図３のような通信不能領域２４の発生を防ぐことができる。なお、ＬＣＸ１１から放射される電波の放射方向を終端から始端方向とすることにより、ＬＣＸ１１の始端付近に発生する通信不能領域２４の発生を未然に防止することができる。
【００２４】
次に、本発明の第３の実施の形態を図８を参照して説明する。前述した第1の実施の形体では、ＬＣＸ１１の終端に取り付けるアンテナ１３は１つであったが、この第3の実施の形態では、ＬＣＸ１１の終端に２つのアンテナを取り付けるようにしている。この２つのアンテナの合成インピーダンスは前述したターミネータ３と略同じである。
【００２５】
図８において、図４と同一部分には同一番号を付し、その詳細な説明については省略する。図８において、ＬＣＸ１１の終端には分配器４１を介して第1のアンテナ４２及び第2のアンテナ４３が取り付けられている。
【００２６】
第1のアンテナ４２及び第２のアンテナ４３はＬＣＸ１１の終端方向の延長線上に列状に配置されている。ＬＣＸ１１から放射される電波の放射方向を終端から始端方向とされる。そして、第1のアンテナ４２の放射角度はＬＣＸ１１の放射角度とを同じくすることにより図３のような通信不能領域２４の発生を防ぐことができる。さらに、ＬＣＸ１１から放射される電波と第１のアンテナ４２から放射される電波との干渉を防止することができる。
【００２７】
さらに、第２のアンテナ４３から放射される電波の放射方向を第1のアンテナ４２から放射される電波の放射方向を同じにすることにより、第１のアンテナ４２から放射される電波と第２のアンテナ４３から放射される電波との干渉を防止することができる。
【００２８】
さらに、第２のアンテナ４３を第1のアンテナ４２よりのＬＣＸ１１の延長線上の遠い位置に配設することにより、ＬＣＸ１１の延長線上での十分な電力を得られると共に通信可能エリアを広げることができる。
【００２９】
なお、前述した第１の実施の形態では、ＬＣＸ１１の終端に１つのアンテナ１３を取り付けるようにし、第２の実施の形態ではＬＣＸ１１の終端に２つのアンテナ４２、４３を取り付けるようにしたが、３つ以上のアンテナを取り付けるようにしても良い。
【図面の簡単な説明】
【００３０】
【図１】本発明の第1の実施の形態に係わる無線通信システムにおけるＬＣＸの終端にアンテナを接続した図。
【図２】同実施の形態に係わる無線通信システムにおける電波の干渉を説明するための図。
【図３】同実施の形態に係わる無線通信システムにおけるＬＣＸとアンテナの指向性を示す図。
【図４】同実施の形態に係わる無線通信システムにおけるＬＣＸとアンテナの指向性を示す図。
【図５】本発明の第２の実施の形態に係わる無線通信システムにおけるＬＣＸの終端に平面アンテナを接続した図。
【図６】同第２の実施の形態に係わる平面アンテナの指向性を示す図。
【図７】同第２の実施の形態に係わる無線通信システムにおけるＬＣＸの終端に取り付けられた平面アンテナの取り付け角度を調整した図。
【図８】本発明の第３の実施の形態に係わる無線通信システムにおけるＬＣＸの延長線方向への電波放射角度を示す図。
【図９】従来の無線通信システムにおいてＬＣＸの終端にターミネータを接続した図。
【符号の説明】
【００３１】
１１…ＬＣＸ、１２…信号電力、１３，２３…アンテナ、２４…通信不能領域、
３１…可動装置、３２…平面アンテナ、４１…分配器、４２…第１のアンテナ、４３…第２のアンテナ。
【図１】
2005159745.tif 000003
【図２】
2005159745.tif 000004
【図３】
2005159745.tif 000005
【図４】
2005159745.tif 000006
【図５】
2005159745.tif 000007
【図６】
2005159745.tif 000008
【図７】
2005159745.tif 000009
【図８】
2005159745.tif 000010
【図９】
2005159745.tif 000011